(57)【要約】      （修正有）【課題】構造が簡単で、接触機能が良好な回転電気コネクタを提供する。【解決手段】回転電気コネクタは絶縁固定座Ａ１０及び固定座に取り付けられる電極Ａ１１を含み、固定座には第１貫通孔Ａ１００が設けられ、電極はお互いに電気的接続される少なくとも２つの第１接触部Ａ１１０及び少なくとも１つの第２接触部Ａ１１１を含み、少なくとも２つの第１接触部は第１貫通孔の鉛直空間内に位置し、且つ固定座の回転軸Ｚ１の両側対向するように設けられ、２つの第１接触部は常に回転空間Ａ１１２内の導電体に当接され、少なくとも１つの第２接触部は固定座から突出される。回転電気コネクタは、構造が簡単で、コストが低く、且つ電極には少なくとも２つの第１接触部が設けられ、２つの第１接触部はそれぞれ固定座に挿入される第１貫通孔の導電体の対向する両側面に当接されることで、固定座の回転過程で、電極と導電体との接触が良好であり、接触不良の発生を回避することができる。【選択図】図２
0003230811.tif 000002
【実用新案登録請求の範囲】
【請求項１】
絶縁固定座及び前記固定座に取り付けられる電極を含む回転電気コネクタであって、
前記固定座全体が環状構造を呈するように、前記固定座には第１貫通孔が設けられ、前記固定座は、前記第１貫通孔の軸心の周りに回転可能であり、
前記電極は、電気的接続する少なくとも２つの第１接触部及び少なくとも１つの第２接触部を含み、少なくとも２つの前記第１接触部は、前記第１貫通孔の鉛直空間内に位置し、且つ前記固定座の回転軸の両側に対向するように設けられ、少なくとも２つの前記第１接触部の間に回転空間が規定され、前記固定座の回転過程で、２つの前記第１接触部は、常に前記回転空間内に位置する導電体に当接し、
少なくとも１つの前記第２接触部は、前記固定座から突出される、ことを特徴とする回転電気コネクタ。
【請求項２】
前記固定座における前記第１貫通孔の対向する両側には、それぞれ前記第１貫通孔に連通する第１凹溝が設けられ、２つの前記第１凹溝内には、それぞれ取付柱が設けられ、前記電極の両側は、それぞれ２つの前記取付柱に固定され、且つ２つの前記第１接触部は、それぞれ対応する前記取付柱からお互い反対する方向に引き出される、ことを特徴とする請求項１に記載の回転電気コネクタ。
【請求項３】
前記電極は弾性構造体であり、且つ前記回転空間の直径は前記導電体の直径よりやや小さいことにより、少なくとも２つの前記第１接触部が前記導電体に当接する弾性接触力を有する、ことを特徴とする請求項１に記載の回転電気コネクタ。
【請求項４】
前記第１接触部は、円弧形の平滑な接触面を有する、ことを特徴とする請求項１に記載の回転電気コネクタ。
【請求項５】
回転取付台及び前記回転取付台に積層して取り付けられるいくつかの請求項１〜４のいずれか１項に記載の回転電気コネクタを含み、前記回転取付台の回転と同時に全ての前記固定座を連動して同期回転させ、いくつかの前記第１接触部によって前記回転取付台において導電体を貫通させる導電チャネルが形成される、ことを特徴とする導電回転子構造。
【請求項６】
ボール状の外殻、内殻及び前記内殻の外壁に設けられる電気機能素子を含む電気機能回転ボールであって、
前記外殻は、前記内殻を連動して同期回転可能であり、
前記内殻内には、収容室が設けられ、前記収容室内には、回転取付台及び導電柱が設けられ、
前記回転取付台と前記内殻とは固定接続され、前記回転取付台には、いくつかの請求項１〜４のいずれか１項に記載の回転電気コネクタが積層して取り付けられ、前記収容室内には、いくつかのそれぞれ前記回転取付台の各前記固定座に対応する導電部材が間隔をあけて設けられ、前記導電部材は、電極端子及び前記電極端子に電気的接続される弧形導電シートを含み、前記導電シートは、対応する前記第２接触部に当接し、いくつかの前記電極端子のうちの少なくとも両者は前記電気機能素子に電気的接続され、
前記導電柱は、いくつかの前記固定座における回転空間からなる導電チャネルを貫通し、前記導電柱には、いくつかの異なる信号を提供可能な導電環が間隔をあけて設けられ、各前記固定座の少なくとも２つの前記第１接触部は、２つの前記第１接触部により規定される回転空間内の導電環に当接する、ことを特徴とする電気機能回転ボール。
【請求項７】
前記収容室内には、弧形構造を呈し且つ前記内殻に固定接続される取付固定スリーブが設けられ、前記導電部材は、前記取付固定スリーブ上に設けられ、
前記内殻には、前記収容室に連通する細長い切欠が設けられ、前記取付固定スリーブの一端には、前記切欠内に延伸する接続ラグが設けられ、前記接続ラグと前記取付固定スリーブとは屈曲部により接続される、ことを特徴とする請求項６に記載の電気機能回転ボール。
【請求項８】
前記回転取付台は、いくつかの前記回転電気コネクタを積層して配置するための筒体、前記筒体の側壁には、前記第２接触部に対応するウィンドウが設けられ、前記第２接触部は、前記ウィンドウから突出され、前記筒体の上下両端には、それぞれ前記導電柱を貫通させるための第２貫通孔が設けられる、ことを特徴とする請求項６に記載の電気機能回転ボール。
【請求項９】
ボール状の殻体を含む電気機能回転ボールであって、
前記殻体内には、回転取付台及び導電柱が設けられ、
前記回転取付台は前記殻体に接続されることで、前記回転取付台が前記殻体に伴って同期回転可能であり、前記回転取付台には、いくつかの請求項１〜４のいずれか１項に記載の回転電気コネクタが積層して設けられ、いくつかの前記回転電気コネクタが積層して形成される柱体構造の外周壁には、電気機能素子が設けられ、少なくとも２つの前記固定座の前記第２接触部は、前記電気機能素子に電気的接続され、
前記導電柱は、いくつかの前記固定座の回転空間からなる導電チャネルを貫通可能であり、前記導電柱には、いくつかの異なる信号を提供可能な導電環が間隔をあけて設けられ、各前記固定座の少なくとも２つの前記第１接触部は、２つの前記第１接触部により規定される回転空間内の導電環に当接される、ことを特徴とする電気機能回転ボール。
【請求項１０】
各前記固定座には、いくつかの第１位置限定孔が設けられ、前記回転取付台は、底座及び前記底座に設けられるいくつかの位置限定柱を含み、いくつかの前記固定座は、前記第１位置限定孔により積層して前記位置限定柱に貫設される、ことを特徴とする請求項９に記載の電気機能回転ボール。
【考案の詳細な説明】
【技術分野】
【０００１】
本考案は、導電回転コネクタ技術分野に関し、特に美容マッサージ棒に用いられて回転ボールに電気的加熱機能を提供する回転電気コネクタ、導電回転子構造、及び美容マッサージバーに用いられる電気機能回転ボールに関する。
【背景技術】
【０００２】
ビューティーバーは、近年流行している美容器具であり、顔面に用いられるものであるが、一般的に、物理方法により顔面又はその他の部位の肌を活性化する効果を達成するものである。ビューティーバーは、一般的に、手持部及び手持部に設けられる転がりヘッドを含み、使用する時に、手持部により転がりヘッドを顔、眼角、下額、首、腕、臀部、太もも、脛等の全身において軽く上下に転がすことでッサージをする。
【０００３】
ビューティーバーは、シングルヘッドタイプとダブルヘッドタイプがある。現在、市販されているダブルヘッドビューティーバーは、２つの自転可能な回転ボールの転がりによって肌をマッサージする効果を達成する。マッサージ過程における肌の血液循環を更に促進するために、ビューティーバーの回転ボールに加熱装置又はマイクロカレント鍼灸刺激装置等の電気機能素子を増加させることで、回転ボール転がりマッサージと同時に肌にさらなる効果を達成する（例えば加熱又は鍼灸効果）ビューティーバーもある。回転ボールは自転運動から作動するものであり、電源は一般的に操作手持部の一端に設けられるため、回転ボールは回転接続構造により電源供給の導電体との電気的接続を実現しなければならない。しかし、従来技術の回転接続構造は、複雑で、コストが高く、簡単な接触性も保証できないものもあり、回転過程で接触不良が発生しやすく、作動が不安定であった。
【考案の概要】
【考案が解決しようとする課題】
【０００４】
本考案の目的は、構造が簡単で、接触機能が良好な回転電気コネクタを提供することである。
【０００５】
本考案の他の目的は、構造が簡単で、電気的接触機能が良好な導電回転子構造を提供することである。
【０００６】
本考案のさらなる目的は、構造が簡単で、作動機能が良好な電気機能回転ボールを提供することである。
【課題を解決するための手段】
【０００７】
上記の目的を実現するために、本考案は回転電気コネクタを提供しており、当該回転電気コネクタは絶縁固定座及び前記固定座に取り付けられる電極を含み、前記固定座全体が環状構造を呈するように、前記固定座には第１貫通孔が設けられ、前記固定座は、前記第１貫通孔の軸心の周りに回転可能であり、前記電極は、電気的接続する少なくとも２つの第１接触部及び少なくとも１つの第２接触部を含み、少なくとも２つの前記第１接触部は、前記第１貫通孔の鉛直空間内に位置し、且つ前記固定座の回転軸の両側に対向するように設けられ、少なくとも２つの前記第１接触部の間に回転空間が規定され、前記固定座の回転過程で、２つの前記第１接触部は、常に前記回転空間内に位置する導電体に当接し、少なくとも１つの前記第２接触部は、前記固定座から突出される。
【０００８】
好ましくは、前記固定座における前記第１貫通孔の対向する両側には、それぞれ前記第１貫通孔に連通する第１凹溝が設けられ、２つの前記第１凹溝内には、それぞれ取付柱が設けられ、前記電極の両側は、それぞれ２つの前記取付柱に固定され、且つ２つの前記第１接触部は、それぞれ対応する前記取付柱からお互い反対する方向に引き出される。
【０００９】
好ましくは、前記電極は弾性構造体であり、且つ前記回転空間の直径は前記導電体の直径よりやや小さいことにより、少なくとも２つの前記第１接触部が前記導電体に当接する弾性接触力を有する。
【００１０】
好ましくは、前記第１接触部は、円弧形の平滑な接触面を有する。
【００１１】
本考案は更に導電回転子構造を提供し、当該導電回転子構造は、回転取付台及び前記回転取付台に積層して取り付けられるいくつかの請求項１〜４のいずれか１項に記載の回転電気コネクタを含み、前記回転取付台の回転と同時に全ての前記固定座を連動して同期回転させ、いくつかの前記第１接触部によって前記回転取付台において導電体を貫通させる導電チャネルが形成される。
【００１２】
本考案は更に電気機能回転ボールを提供し、当該電気機能回転ボールは、ボール状の外殻、内殻及び前記内殻の外壁に設けられる電気機能素子を含み、前記外殻は、前記内殻を連動して同期回転可能であり、前記内殻内には、収容室が設けられ、前記収容室内には、回転取付台及び導電柱設けられ、前記回転取付台と前記内殻とは固定接続され、前記回転取付台には、いくつかの請求項１〜４のいずれか１項に記載の回転電気コネクタが積層して取り付けられ、前記収容室内には、いくつかのそれぞれ前記回転取付台の各前記固定座に対応する導電部材が間隔をあけて設けられ、前記導電部材は、電極端子及び前記電極端子に電気的接続される弧形導電シートを含み、前記導電シートは、対応する前記第２接触部に当接し、いくつかの前記電極端子のうちの少なくとも両者は前記電気機能素子に電気的接続され、前記導電柱は、いくつかの前記固定座における回転空間からなる導電チャネルを貫通し、前記導電柱には、いくつかの異なる信号を提供可能な導電環が間隔をあけて設けられ、各前記固定座の少なくとも２つの前記第１接触部は、２つの前記第１接触部により規定される回転空間内の導電環に当接する。
【００１３】
好ましくは、前記収容室内には、弧形構造を呈し且つ前記内殻に固定接続される取付固定スリーブが設けられ、前記導電部材は、前記取付固定スリーブ上に設けられ、前記内殻には、前記収容室に連通する細長い切欠が設けられ、前記取付固定スリーブの一端には、前記切欠内に延伸する接続ラグが設けられ、前記接続ラグと前記取付固定スリーブとは屈曲部により接続される。
【００１４】
好ましくは、前記回転取付台は、いくつかの前記回転電気コネクタを積層して配置するための筒体、前記筒体の側壁には、前記第２接触部に対応するウィンドウが設けられ、前記第２接触部は、前記ウィンドウから突出され、前記筒体の上下両端には、それぞれ前記導電柱を貫通させるための第２貫通孔が設けられる。
【００１５】
本考案は更に電気機能回転ボールを提供し、当該電気機能回転ボールは、ボール状の殻体を含み、前記殻体内には、回転取付台及び導電柱が設けられ、前記回転取付台は前記殻体に接続されることで、前記回転取付台が前記殻体に伴って同期回転可能であり、前記回転取付台には、いくつかの請求項１〜４のいずれか１項に記載の回転電気コネクタが積層して設けられ、いくつかの前記回転電気コネクタが積層して形成される柱体構造の外周壁には、電気機能素子が設けられ、少なくとも２つの前記固定座の前記第２接触部は、前記電気機能素子に電気的接続され、前記導電柱は、いくつかの前記固定座の回転空間からなる導電チャネルを貫通可能であり、前記導電柱には、いくつかの異なる信号を提供可能な導電環が間隔をあけて設けられ、各前記固定座の少なくとも２つの前記第１接触部は、２つの前記第１接触部により規定される回転空間内の導電環に当接される。
【００１６】
好ましくは、各前記固定座には、いくつかの第１位置限定孔が設けられ、前記回転取付台は、底座及び前記底座に設けられるいくつかの位置限定柱を含み、いくつかの前記固定座は、前記第１位置限定孔により積層して前記位置限定柱に貫設される。
【考案の効果】
【００１７】
従来技術に比べて、本考案の技術効果は以下のようになる。
【００１８】
本考案の回転電気コネクタは、固定座和及び当該固定座に取り付けられる電極だけを含むことで、構造が簡単であり、コストが低く、また、電極には少なくとも２つの第１接触部が設けられ、当該２つの第１接触部はそれぞれ固定座の第１貫通孔に挿入される導電体の対向する両側面に当接され、固定座の回転過程で、電極と導電体との接触が良好であり、接触不良の発生を回避することができる。そして、第１接触部は円弧形の平滑な接触面を有するため、固定座の回転過程で雑音が減少される。
【図面の簡単な説明】
【００１９】
【図１】本考案の実施例１に係る回転電気コネクタの立体構造概念図である。
【図２】図１の固定座の立体構造概念図である。
【図３】本考案の実施例２に係る回転電気コネクタの立体構造概念図である。
【図４】本考案の実施例３に係る導電回転子構造の立体構造概念図である。
【図５】図４の回転電気コネクタに取り付けられる積層構造概念図である。
【図６】図５の他の角度から見た立体構造概念図である。
【図７】本考案の実施例４に係る導電回転子構造と導電柱との間の取付構造概念図である。
【図８】図７の分解構造概念図である。
【図９】本考案の実施例に係る導電柱の立体構造概念図である。
【図１０】本考案の実施例５に係る電気機能回転ボールの立体構造概念図である。
【図１１】図１０の分解概念図である。
【図１２】図１１の内殻内部構造概念図である。
【図１３】図１２の取付固定スリーブと導電回転子構造との間の取付構造概念図である。
【図１４】図１２の取付固定スリーブと導電部材との間の取付構造概念図である。
【図１５】図１２の導電部材の立体構造概念図である。
【図１６】本考案の実施例６に係る電気機能回転ボールの分解概念図である。
【考案を実施するための形態】
【００２０】
本考案の技術内容を詳細に説明するために、構造特徴、実現する目的及び効果について、以下実施形態及び図面で詳しく説明する。
【００２１】
本考案は、導電回転子構造の回転電気コネクタ、前記回転電気コネクタを用いて構成される導電回転子構造、及び前記導電回転子構造を用いて構成される電気機能回転ボールに関するものであり、前記電気機能回転ボールは、ビューティーバーに使用されるが、これに限定されない。即ち、前記導電回転子構造は、他の回転構造を有する電気機能装置に適用することもできる。
【００２２】
具体的に、実施例１は、図１及び図２に示すように、回転電気コネクタＡ１は、絶縁固定座Ａ１０及び固定座Ａ１０に取り付けられる電極Ａ１１を含む。固定座Ａ１０に第１貫通孔Ａ１００が設けられることで、固定座Ａ１０全体が環状構造を呈し、固定座Ａ１０は、第１貫通孔Ａ１００の軸心の周りに回転可能である。電極Ａ１１は、お互い電気的接続する２つの第１接触部Ａ１１０及び２つの第２接触部Ａ１１１を含み、２つの第１接触部Ａ１１０は第１貫通孔Ａ１００の鉛直空間内に位置し、且つ固定座Ａ１０の回転軸Ｚ１の両側に対向するように設けられ、２つの第１接触部Ａ１１０の間に回転空間Ａ１１２が規定され、固定座Ａ１０の回転過程で、２つの第１接触部Ａ１１０は常に回転空間Ａ１１２内に位置する導電体に当接される。２つの第２接触部Ａ１１１は固定座Ａ１０から突出される。本実施例に係る２つの第１接触部Ａ１１０と２つの第２接触部Ａ１１１は、いずれも同一の電極Ａ１１の一部である。
【００２３】
そして、図９に示すように、前記構造を有する回転電気コネクタＡ１と組み合わせて使用する導電体としては導電柱Ｈが好ましく、導電柱Ｈは同時に導電回転子構造Ａ２及び電気機能回転ボールのステーターとしても用いられる。導電柱Ｈは、同軸中空セグメントに基づく電気的接続構造であり、入力端Ｈ１及び出力端Ｈ２を含み、入力端Ｈ１には、導電柱Ｈの軸線延伸方向に沿って間隔をあけて同軸分布されるいくつかの接続端子Ｈ１０が設けられ、出力端Ｈ２には、導電柱Ｈの軸線延伸方向に沿って間隔をあけていくつかの導電環Ｈ２０が設けられ、各導電環Ｈ２０は入力端Ｈ１のうちの１つの接続端子Ｈ１０と電気的に接続される。本実施例における導電柱Ｈは、３つの導電環Ｈ２０を有し、それぞれ電源正極端、電源負極端及び制御端に用いられるが、必要に応じて更に多い導電環Ｈ２０を有する導電柱Ｈを用いてもよい。
【００２４】
導電柱Ｈと電極Ａ１１との間の接触効果を有効に向上させるために、電極Ａ１１が弾性構造体であり、且つ回転空間Ａ１１２の直径が導電柱Ｈの直径よりやや小さいことにより、２つの第１接触部Ａ１１０が導電柱Ｈへ当接する弾性接触力を有するようになり、そのため、２つの第１接触部Ａ１１０と導電柱Ｈとの間の接触効果を有効に保証することができるので、回転電気コネクタＡ１の電気的接続効果を保証する。
【００２５】
そして、回転電気コネクタＡ１の回転時の雑音を減少させるために、２つの第１接触部Ａ１１１は円弧形の平滑な接触面を有する。
【００２６】
更に具体的に、図２に示すように、固定座Ａ１０は、底板Ａ１０１及びフレームＡ１０２を含み、固定座Ａ１０において第１貫通孔Ａ１００の対向する両側にはそれぞれ第１貫通孔Ａ１００と連通する第１凹溝Ａ１０３が設けられ、前記第１凹溝Ａ１０３はフレームＡ１０２上に設けられ、底板Ａ１０１に亘る。２つの第１凹溝Ａ１０３内には、それぞれ取付柱Ａ１０４が設けられ、電極Ａ１１の両端は、それぞれ２つの取付柱Ａ１０４に固定され、且つ２つの第１接触部Ａ１１０はそれぞれ対応する取付柱Ａ１０４からお互いに反対方向に引き出されることにより、電極Ａ１１が固定座Ａ１０に安定的に固定される。構造を簡単にするために、２つの第１凹溝Ａ１０３はいずれもフレームＡ１０２の外部に開口する開口型溝であり、２つの取付柱Ａ１０４の部分外壁は、フレームＡ１０２から突出されることにより、取付柱Ａ１０４に巻きつけられる電極Ａ１１の外側が第２接触部Ａ１１１として用いられ、前記第２接触部Ａ１１１は第１接触部Ａ１１０が導電柱Ｈから取得する電気信号を伝送するために用いられる。導電柱Ｈが固定座Ａ１０の第１貫通孔Ａ１００に挿入されると、導電柱Ｈの導電環Ｈ２０がちょうど２つの第１接触部Ａ１１０の間の回転空間Ａ１１２内に位置し、この際、２つの第１接触部Ａ１１０はそれぞれ導電環Ｈ２０の対向する両側に当接され、固定座Ａ１０の回転過程で、２つの第１接触部Ａ１１０が導電環Ｈ２０の周りに回転する。２つの第１接触部Ａ１１０のうちの一方が導電環Ｈ２０に接触すれば、２つの第２接触部Ａ１１１のうちのいずれの一方から電気的信号を取得することができ、電気的信号の安定的な伝送を有効に確保することができる。
【００２７】
更に、図１に示すように、電極Ａ１１が固定座Ａ１０から滑り落ちることを防止するように、フレームＡ１０２に絶縁蓋板Ａ１２が設けられていてもよく、蓋板には第１貫通孔Ａ１００に対応する開口部Ａ１２０が設けられ、前記蓋板とフレームＡ１０２とは係合することで接続される。
【００２８】
実施例２は、図３に示すように、本実施例の回転電気コネクタＢ１は、絶縁固定座Ｂ１０及び固定座Ｂ１０に取り付けられる電極Ｂ１１を含む。固定座Ｂ１０には第１貫通孔Ｂ１００が設けられることにより、固定座Ｂ１０全体が環状構造を呈し、固定座Ｂ１０は第１貫通孔Ｂ１００の軸心の周りに回転可能である。電極Ｂ１１は、お互いに電気的接続される２つの第１接触部Ｂ１１０及び第２接触部Ｂ１１１を含み、２つの第１接触部Ｂ１１０は第１貫通孔Ｂ１００の鉛直空間内に位置し、且つ固定座Ｂ１０の回転軸Ｚ２の両側に対向して設けられ、２つの第１接触部Ｂ１１０の間によって回転空間Ｂ１１２が規定され、固定座Ｂ１０の回転過程で、２つの第１接触部Ｂ１１０は常に回転空間Ｂ１１２内に位置する導電体に当接される。第２接触部Ｂ１１１は固定座Ｂ１０から突出される。本実施例の電極Ｂ１１の固定取り付けについては、実施例１と同様な凹溝構造を用いており、即ち、固定座Ｂ１０において第１貫通孔Ｂ１００の対向する両側にはそれぞれ第１貫通孔Ｂ１００と連通する第１凹溝Ｂ１０１が設けられ、２つの第１凹溝Ｂ１０１内にはそれぞれ取付柱Ｂ１０２が設けられ、電極Ｂ１１の両端はそれぞれ２つの取付柱Ｂ１０２に固定され、且つ２つの第１接触部Ｂ１１０はそれぞれ対応する取付柱Ｂ１０２からお互いに反対する方向に引き出される。実施例１との相違点は、本実施例において、固定座Ｂ１０にはフレームが設けられておらず、固定座Ｂ１０の２つの第１凹溝Ｂ１０１の間に第２凹溝Ｂ１０３が設けられ、第２接触部Ｂ１１１は、２つの第１接触部Ｂ１１０の間に接続される部分電極Ｂ１１が屈曲して第２凹溝Ｂ１０３から突出されて形成される。
【００２９】
導電柱Ｈと電極Ｂ１１との間の接触効果を有効に向上させるために、電極Ｂ１１が弾性構造体であり、且つ回転空間Ｂ１１２の直径が導電柱Ｈの直径よりやや小さいことにより、２つの第１接触部Ｂ１１０が導電柱Ｈに当接する弾性接触力を有するようになり、そのため、２つの第１接触部Ｂ１１０と導電柱Ｈとの間の接触効果を有効に保証することができるので、回転電気コネクタＢ１の電気的接続効果を保証する。そして、降低回転電気コネクタＢ１の回転時の雑音を減少させるために、２つの第１接触部Ｂ１１１は円弧形の平滑な接触面を有する。
【００３０】
上記２つの実施例により開示される回転電気コネクタＡ１、Ｂ１は、両種類の導電回転子構造Ａ２、Ｂ２を形成することができ、以下実施例を詳細に説明する。
【００３１】
図４〜図６に示すように、実施例３は、上記実施例１に開示される回転電気コネクタＡ１を用いて形成される導電回転子構造Ａ２であり、回転取付台Ａ２０及び回転取付台Ａ２０に積層取り付けられる回転電気コネクタＡ１を含む。具体的に、当該回転取付台Ａ２０は、電気コネクタを載積するための筒体Ａ２００を含み、筒体Ａ２００の両側の側壁にはそれぞれ第２接触部Ａ１１１に対応するウィンドウＡ２０１が設けられ、筒体Ａ２００の両側に位置する第２接触部Ａ１１１は当該ウィンドウＡ２０１から突出され、筒体Ａ２００の上下両端にはそれぞれ導電柱Ｈを貫通させるために用いられる第２貫通孔Ａ２０２が設けられる。即ち、当該第２貫通孔Ａ２０２の直径と回転空間Ａ１１２の直径は同一である。
【００３２】
図７〜図８に示すように、実施例４は、上記実施例２に開示される回転電気コネクタＢ１を用いて形成される導電回転子構造Ｂ２であり、回転取付台Ｂ２０及び回転取付台Ｂ２０に積層取り付けられるいくつかの回転電気コネクタＢ１を含む。具体的に、各固定座Ｂ１０には、３つの対応する第１位置限定孔Ｂ１０４が設けられ、即ち、複数の固定座Ｂ１０を積層して配置した時に、上下の固定座Ｂ１０の第１位置限定孔Ｂ１０４がそれぞれ対応する。回転取付台Ｂ２０は、底座Ｂ２００及び底座Ｂ２００に設けられるいくつかの位置限定柱Ｂ２０１を含み、複数の固定座Ｂ１０は、第１位置限定孔Ｂ１０４が積層して位置限定柱Ｂ２０１に貫通されることで、位置限定柱Ｂ２０１と第１位置限定孔Ｂ１０４との組み合わせにより、複数の固定座Ｂ１０を積層して固定し、導電回転子構造Ｂ２を構成する。そして、底座Ｂ２００には第三通孔Ｂ２０２が設けられ、使用する時に、導電柱Ｈが底座Ｂ２００の第三通孔Ｂ２０２から複数の底座Ｂ２００の第１貫通孔Ｂ１００内に挿入されることで、いくつかの固定座Ｂ１０の回転空間Ｂ１１２により構成される導電チャネルＢ２０３を貫通する。
【００３３】
本実施例中の回転取付台Ｂ２０は、いくつかの固定座Ｂ１０の最上層に設けられる上蓋Ｂ２０４を更に含み、上蓋Ｂ２０４にはいくつかの第１位置限定孔Ｂ１０４に対応する第２位置限定孔Ｂ２０５が設けられ、位置限定柱Ｂ２０１の上端が第２位置限定孔Ｂ２０５を貫通することにより、上蓋Ｂ２０４といくつかの固定座Ｂ１０を合わせて紐付ける。導電柱Ｈを貫通しやすくするために、上蓋Ｂ２０４には、固定座Ｂ１０の第１貫通孔Ｂ１００に対応する第４貫通孔Ｂ２０６が設けられる。
【００３４】
上記の２つの実施例により開示される導電回転子構造Ａ２に基づき、以下の実施例では、両種類の電気機能回転ボールを開示する。
【００３５】
図１０〜図１５に示すように、実施例５の電気機能回転ボールは、ボール状の外殻Ａ３０、内殻Ａ３１及び内殻Ａ３１の外壁に設けられる電気機能素子Ａ４０を含み、本実施例の電気機能素子Ａ４０は発熱膜であり、外殻Ａ３０は内殻Ａ３１を連動して同期回転可能である。内殻Ａ３１内には収容室Ａ３１０が設けられ、収容室Ａ３１０内には導電柱Ｈ及び上記の実施例３に開示される導電回転子構造Ａ２が設けられる。回転取付台Ａ２０と内殻Ａ３１とが固定接続されることにより、内殻Ａ３１の回転と同時に回転取付台Ａ２０を連動して同期回転させる。収容室Ａ３１０内には、それぞれ回転取付台Ａ２０の各固定座Ａ１０に対応するいくつかの導電部材Ａ５０が間隔をあけて設けられ、導電部材Ａ５０は電極端子Ａ５００及び電極端子Ａ５００に電気的接続される円弧状の導電シートＡ５０１を含む。導電シートＡ５０１は対応する第２接触部Ａ１１１に当接され、いくつかの電極端子Ａ５００のうちの少なくとも両者が電気機能素子Ａ４０に電気的接続されることにより、電気機能素子Ａ４０に電源を供給し、そのほかの電極端子Ａ５００は制御端又はセンサ接続端等であってもよい。図３及び図６に示すように、導電柱Ｈは、いくつかの固定座Ａ１０における回転空間Ａ１１２からなる導電チャネルＡ２０３を貫通し、各固定座Ａ１０における２つの第１接触部Ａ１１０は、２つの前記第１接触部Ａ１１０によって規定される回転空間Ａ１１２内の導電環Ｈ２０に当接する。回転ボールの安全機能を保証するために、内殻Ａ３１と外殻Ａ３０との間には保護殻Ａ３２が更に設けられる。
【００３６】
更に、図１２〜図１５に示すように、導電部材Ａ５０の取り付け及び固定を便利にするために、収容室Ａ３１０内には円弧形構造を有し且つ内殻Ａ３１と固定接続される取付固定スリーブＡ６０が更に設けられ、導電部材Ａ５０は取付固定スリーブＡ６０に設けられる。内殻Ａ３１には、収容室Ａ３１０に連通される細長い型切欠Ａ３１１が設けられ、取付固定スリーブＡ６０の一端には切欠Ａ３１１内に延伸される接続ラグＡ６００が設けられ、接続ラグＡ６００と取付固定スリーブＡ６０とは屈曲部Ａ６０１により接続されることで、取付固定スリーブＡ６０と内殻Ａ３１とが一体になり、取付固定スリーブＡ６０と内殻Ａ３１との間において相対的な変位が発生することを回避し、導電部材Ａ５０と第２接触部Ａ１１１との間の接触の安定性を保証する。また、回転取付台Ａ２０の取り付け及び固定を便利にするために、回転取付台Ａ２０には２つの係合フックＡ２０４が設けられ、そのうち一方の係合フックＡ２０４は内殻Ａ３１の縁に係合され、他の係合フックＡ２０４は取付固定スリーブＡ６０の縁に係合される。
【００３７】
図１６に示すように、実施例６において、電気機能回転ボールはボール状の殻体Ｂ３０を含み、殻体Ｂ３０内には導電柱Ｈ及び上記の実施例４に開示される導電回転子構造Ｂ２が設けられる。回転取付台Ｂ２０が殻体Ｂ３０に接続されることで、回転取付台Ｂ２０は殻体Ｂ３０に伴って同期回転可能である。いくつかの回転電気コネクタＢ１が積層してなる柱体構造の外周壁上には電気機能素子Ｂ４０が設けられる。本実施例の電気機能素子Ｂ４０は発熱膜であり、いくつかの固定座Ｂ１０の外周面に設けられる。導電柱Ｈは、いくつかの固定座Ｂ１０における回転空間Ｂ１１２からなる導電チャネルＢ２０３を貫通し、各固定座Ｂ１０における２つの第１接触部Ｂ１１０は、２つの前記第１接触部Ｂ１１０により規定される回転空間Ｂ１１２内の導電環Ｈ２０に当接する。
【００３８】
具体的に、図７及び図８に示すように、回転取付台Ｂ２０と殻体Ｂ３０とは２つのロッキングピンＢ５０により接続される。殻体Ｂ３０は、内殻Ｂ３０１及び外殻Ｂ３００を含み、少なくとも内殻Ｂ３０１は絶縁材料であり、内殻Ｂ３０１の頂部、上蓋Ｂ２０４、底座Ｂ２００及び固定座Ｂ１０にはいくつかの対応するロッキング孔Ｂ６０が更に設けられ、ロッキングピンＢ５０が一端から殻体Ｂ３０、上蓋Ｂ２０４、底座Ｂ２００及び固定座Ｂ１０のロッキング孔Ｂ６０に挿入されることで、回転取付台Ｂ２０、いくつかの固定座Ｂ１０及び殻体Ｂ３０を合わせてロッキングして固定する。
【００３９】
図１〜図１６に示すように、本考案は回転電気コネクタＡ１、Ｂ１、当該回転電気コネクタＡ１、Ｂ１を用いて形成される導電回転子構造Ａ２、Ｂ２、及び当該導電回転子構造Ａ２、Ｂ２を用いて形成する電気機能回転ボールを開示する。回転電気コネクタＡ１、Ｂ１の電極Ａ１１、Ｂ１１は２つの対向して設けられる第１接触部Ａ１１０、Ｂ１１０を有し、且つ２つの当該第１接触部Ａ１１０、Ｂ１１０により導電柱Ｈの直径に適した回転空間Ａ１１２、Ｂ１１２を規定することで、回転過程における安定且つ有効な電気的信号接続を実現し、且つ構造が簡単で、コストが低い。前記回転電気コネクタＡ１、Ｂ１により構成される導電回転子構造Ａ２、Ｂ２を使用する時に、各回転電気コネクタＡ１、Ｂ１は単独で作動し、お互い影響しないので、部品交換やメンテナンスを行いやすいため、形成される回転ボールの使用を有効に向上させる。
【００４０】
上記の内容は本考案の好ましい実施例であり、本考案の権利範囲を限定するものではない。そのため、本考案の実用新案登録請求の範囲に基づいた同等な変化等も、本考案の権利範囲に属すものである。
【図１】
0003230811.tif 000003
【図２】
0003230811.tif 000004
【図３】
0003230811.tif 000005
【図４】
0003230811.tif 000006
【図５】
0003230811.tif 000007
【図６】
0003230811.tif 000008
【図７】
0003230811.tif 000009
【図８】
0003230811.tif 000010
【図９】
0003230811.tif 000011
【図１０】
0003230811.tif 000012
【図１１】
0003230811.tif 000013
【図１２】
0003230811.tif 000014
【図１３】
0003230811.tif 000015
【図１４】
0003230811.tif 000016
【図１５】
0003230811.tif 000017
【図１６】
0003230811.tif 000018